(57)【要約】【課題】セルフタイマー撮影を遠隔制御により実行する場合に、撮影タイミングが判断できずに失敗撮影となってしまうことを防止する技術を実現する。【解決手段】通信装置は、撮像装置と通信可能な通信手段と、前記通信手段を介して前記撮像装置により撮影された画像を表示する表示手段と、前記通信手段を介して前記撮像装置を遠隔制御して画像を撮影する制御手段と、を有し、前記制御手段は、セルフタイマーを用いて画像を撮影するセルフタイマー撮影において、前記セルフタイマーによるカウントダウンが終了する前の所定のタイミングで撮影準備を促す表示を行うように前記表示手段を制御する。【選択図】図６
2017038280.tif 000002
【特許請求の範囲】
【請求項１】
撮像装置と通信可能な通信手段と、
前記通信手段を介して前記撮像装置により撮影された画像を表示する表示手段と、
前記通信手段を介して前記撮像装置を遠隔制御して画像を撮影する制御手段と、を有し、
前記制御手段は、セルフタイマーを用いて画像を撮影するセルフタイマー撮影において、前記セルフタイマーによるカウントダウンが終了する前の所定のタイミングで撮影準備を促す表示を行うように前記表示手段を制御することを特徴とする通信装置。
【請求項２】
前記セルフタイマーによるカウントダウン処理を行う計時手段をさらに有し、
前記制御手段は、前記撮像装置からのセルフタイマー撮影の実行開始の通知に応じて、前記計時手段にカウントダウン処理を開始させることを特徴とする請求項１に記載の通信装置。
【請求項３】
前記制御手段は、前記撮像装置からのセルフタイマー撮影の実行開始の通知を受けたことに応じてセルフタイマー実行中であることを表示し、前記撮像装置におけるカウントダウン処理により前記所定のタイミングとなったことが前記撮像装置から通知されたことに応じて、前記撮影準備を促す表示を行うように前記表示手段を制御することを特徴とする請求項２に記載の通信装置。
【請求項４】
前記制御手段は、前記撮像装置からのセルフタイマー撮影の完了通知を受けたことに応じて前記セルフタイマー実行中であることの表示及び撮影準備を促す表示を非表示にすることを特徴とする請求項３に記載の通信装置。
【請求項５】
前記制御手段は、前記撮像装置からのセルフタイマー撮影の完了通知を受けたことに応じて撮影完了の表示を行うことを特徴とする請求項３に記載の通信装置。
【請求項６】
前記セルフタイマー撮影は、前記通信装置の所有者が被写体に含まれる場合、前記通信装置の所有者が被写体に含まれない場合、前記通信装置に前記撮像装置を装着して撮影する場合のいずれかにおいて実行されることを特徴とする請求項１ないし５のいずれか１項に記載の通信装置。
【請求項７】
撮像手段と、
通信装置と通信可能な通信手段と、
前記通信手段を介して前記通信装置の遠隔制御により前記撮像手段を制御して画像を撮影し、撮影された画像を前記通信装置に送信する制御手段と、を有し、
前記制御手段は、セルフタイマーを用いて画像を撮影するセルフタイマー撮影において、カウントダウン処理を開始したこと、および、カウントダウンが終了する前の所定のタイミングとなったことを前記通信装置に通知することを特徴とする撮像装置。
【請求項８】
前記セルフタイマーによるカウントダウンを行う計時手段をさらに有し、
前記制御手段は、前記通信装置からのセルフタイマー撮影の実行開始の指示に応じて、カウントダウン処理を開始することを特徴とする請求項７に記載の撮像装置。
【請求項９】
前記制御手段は、前記通信装置からのセルフタイマー撮影の実行開始の指示を受けたことに応じてセルフタイマー実行中であること、および、前記撮像装置でのセルフタイマーによるカウントダウン処理により前記所定のタイミングとなったことを前記通信装置に通知することを特徴とする請求項８に記載の撮像装置。
【請求項１０】
前記制御手段は、前記カウントダウンが終了すると前記撮像手段を制御して撮影処理を実行することを特徴とする請求項７ないし９のいずれか１項に記載の撮像装置。
【請求項１１】
前記制御手段は、前記セルフタイマー撮影の完了通知を前記通信装置に送信することを特徴とする請求項１０に記載の撮像装置。
【請求項１２】
前記セルフタイマー撮影は、前記通信装置の所有者が被写体に含まれる場合、前記通信装置の所有者が被写体に含まれない場合、前記通信装置に前記撮像装置を装着して撮影する場合のいずれかにおいて実行されることを特徴とする請求項７ないし１１のいずれか１項に記載の撮像装置。
【請求項１３】
撮像装置と通信可能な通信手段と、
前記通信手段を介して前記撮像装置により撮影された画像を表示する表示手段と、を有する通信装置の制御方法であって、
前記通信手段を介して前記撮像装置を遠隔制御して画像を撮影する制御ステップを有し、
前記制御ステップでは、セルフタイマーを用いて画像を撮影するセルフタイマー撮影において、前記セルフタイマーによるカウントダウンが終了する前の所定のタイミングで撮影準備を促す表示を行うように前記表示手段を制御することを特徴とする通信装置の制御方法。
【請求項１４】
撮像手段と、通信装置と通信可能な通信手段と、を有する撮像装置の制御方法であって、
前記通信手段を介して前記通信装置の遠隔制御により前記撮像手段を制御して画像を撮影し、撮影された画像を前記通信装置に送信する制御ステップを有し、
前記制御ステップでは、セルフタイマーを用いて画像を撮影するセルフタイマー撮影において、カウントダウン処理を開始したこと、および、カウントダウンが終了する前の所定のタイミングとなったことを前記撮像装置に通知することを特徴とする撮像装置の制御方法。
【請求項１５】
通信装置により撮像装置を遠隔制御するシステムであって、
前記通信装置は、
前記撮像装置と通信可能な通信手段と、
前記通信手段を介して前記撮像装置により撮影された画像を表示する表示手段と、
前記通信手段を介して前記撮像装置を遠隔制御して画像を撮影する制御手段と、を有し、
前記撮像装置は、
撮像手段と、
通信装置と通信可能な通信手段と、
前記通信手段を介して前記通信装置の遠隔制御により前記撮像手段を制御して画像を撮影し、撮影された画像を前記通信装置に送信する制御手段と、を有し、
前記撮像装置の制御手段は、セルフタイマーを用いて画像を撮影するセルフタイマー撮影において、カウントダウン処理を開始したこと、および、カウントダウンが終了する前の所定のタイミングとなったことを前記通信装置に通知し、
前記通信装置の制御手段は、前記通知を受けて、前記カウントダウンが終了する前の所定のタイミングで撮影の準備を促す表示を行うように前記表示手段を制御することを特徴とするシステム。
【請求項１６】
通信装置により撮像装置を遠隔制御するシステムであって、
前記通信装置は、
前記撮像装置と通信可能な通信手段と、
前記通信手段を介して前記撮像装置により撮影された画像を表示する表示手段と、
前記通信手段を介して前記撮像装置を遠隔制御して画像を撮影する制御手段と、を有し、
前記撮像装置は、
撮像手段と、
通信装置と通信可能な通信手段と、
前記通信手段を介して前記通信装置の遠隔制御により前記撮像手段を制御して画像を撮影し、撮影された画像を前記通信装置に送信する制御手段と、を有し、
前記撮像装置の制御手段は、セルフタイマーを用いて画像を撮影するセルフタイマー撮影において、カウントダウン処理を開始したことを前記通信装置に通知し、
前記通信装置の制御手段は、前記通知を受けて、セルフタイマーのカウントダウン処理を開始し、カウントダウンが終了する前の所定のタイミングで撮影の準備を促す表示を行うように前記表示手段を制御することを特徴とするシステム。
【請求項１７】
コンピュータを、請求項１ないし６のいずれか１項に記載された通信装置の各手段として機能させるプログラム。
【請求項１８】
コンピュータを、請求項７ないし１２のいずれか１項に記載された撮像装置の各手段として機能させるプログラム。
【発明の詳細な説明】
【技術分野】
【０００１】
本発明は、撮像装置を通信装置により遠隔制御する技術に関する。
【背景技術】
【０００２】
近年、デジタルカメラなどの撮像装置がスマートフォンなどの通信装置と無線通信可能に接続され、デジタルカメラで撮影した映像をスマートフォンに転送したり、スマートフォンによりデジタルカメラを遠隔制御して撮影することが可能となっている。
【０００３】
しかしながら、スマートフォンをデジタルカメラと接続して遠隔制御する場合、通信によるタイムラグが発生し、スマートフォン側の指示に対してデジタルカメラ側の動作が遅延する場合がある。例えば、デジタルカメラを遠隔制御してセルフタイマー撮影を行う場合、シャッターレリーズのタイミングがずれてしまい、撮影準備が間に合わずに失敗撮影となってしまう可能性がある。また、スマートフォンからデジタルカメラにセルフタイマー実行指示を送った後、スマートフォン側でシャッターレリーズタイミングが判断できずに、撮影準備が間に合わずに失敗撮影となってしまう可能性もある。
【０００４】
特許文献１や２には、セルフタイマー撮影での失敗を防止する技術が提案されている。
【先行技術文献】
【特許文献】
【０００５】
【特許文献１】特開２０１３−１３１９０６号公報
【特許文献２】特開２００５−２５７８６９号公報
【発明の概要】
【発明が解決しようとする課題】
【０００６】
上記特許文献１や２は、カメラに付属するバリアングル型の液晶モニタにおいて有効な手段であり、スマートフォンによりデジタルカメラを遠隔制御してセルフタイマー撮影を行う際に以下のような課題を解決することは難しい。
（１）スマートフォン側ではセルフタイマー実行中なのか否かを判断できない。
（２）セルフタイマー実行中であることを通知してもシャッターレリーズタイミングがわからない。
（３）セルフタイマー実行中にカウントダウン表示を行っても通信によるレリーズタイムラグが発生して、シャッターレリーズのタイミングがずれてしまい、撮影準備が間に合わずに失敗撮影となってしまう。
【０００７】
本発明は、上記課題に鑑みてなされ、その目的は、セルフタイマー撮影を遠隔制御により実行する場合に、撮影タイミングが判断できずに失敗撮影となってしまうことを防止する技術を実現することである。
【課題を解決するための手段】
【０００８】
上記課題を解決し、目的を達成するために、本発明の通信装置は、撮像装置と通信可能な通信手段と、前記通信手段を介して前記撮像装置により撮影された画像を表示する表示手段と、前記通信手段を介して前記撮像装置を遠隔制御して画像を撮影する制御手段と、を有し、前記制御手段は、セルフタイマーを用いて画像を撮影するセルフタイマー撮影において、前記セルフタイマーによるカウントダウンが終了する前の所定のタイミングで撮影準備を促す表示を行うように前記表示手段を制御する。
【発明の効果】
【０００９】
本発明によれば、セルフタイマー撮影を遠隔制御により実行する場合に、撮影タイミングが判断できずに失敗撮影となってしまうことを防止することができる。
【図面の簡単な説明】
【００１０】
【図１】本実施形態のデジタルカメラの構成（ａ）とスマートフォンの構成（ｂ）を示すブロック図。
【図２】本実施形態のスマートフォンを用いた撮影方法を説明する図。
【図３】本実施形態のスマートフォンによりリモート撮影を行う場合のカメラアプリケーション画面を例示する図。
【図４】実施形態１による遠隔制御によりセルフタイマー撮影を行う処理を示すフローチャート。
【図５】実施形態２による遠隔制御によりセルフタイマー撮影を行う処理を示すフローチャート。
【図６】本実施形態の遠隔制御によるセルフタイマー撮影の処理シーケンスを示す図。
【発明を実施するための形態】
【００１１】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１２】
本実施形態では、本発明の通信装置および撮像装置として携帯電話の一種であるスマートフォンとデジタルカメラを適用し、スマートフォンとデジタルカメラとがネットワークを介して接続されたシステムについて説明する。なお、本実施形態では、通信装置としてスマートフォンを想定しているが、本発明はこれに限らず、例えば、無線機能付きのデジタルカメラ、携帯型のメディアプレーヤやタブレット端末、パーソナルコンピュータなどの情報処理装置であっても良い。また、本実施形態では、撮像装置としてデジタルカメラを想定しているが、本発明はこれに限らず、例えば、カメラ付き携帯電話やスマートフォン、タブレット端末、ＷＥＢカメラを有するパーソナルコンピュータ、監視カメラのような据え置き型の撮像装置などにも適用可能である。
【００１３】
＜デジタルカメラ１００の構成＞図１（ａ）を参照して、本実施形態のデジタルカメラ１００の構成および機能の概略について説明する。
【００１４】
図１（ａ）において、撮影レンズ１０２はズームレンズ、フォーカスレンズを含むレンズ群である。シャッター１０３は絞り機能を備える。撮像部１０４は被写体の光学像を電気信号に変換するＣＣＤやＣＭＯＳ等で構成される撮像素子である。Ａ／Ｄ変換器１０５は、アナログ信号をデジタル信号に変換する。Ａ／Ｄ変換器１０５は、撮像部１０４から出力されるアナログ信号をデジタル信号に変換するために用いられる。バリア１０１は、デジタルカメラ１００の、撮影レンズ１０２を含む撮像光学系を覆うことにより、撮影レンズ１０２、シャッター１０３、撮像部１０４を含む撮像光学系の汚れや破損を防止する。
【００１５】
画像処理部１１１は、Ａ／Ｄ変換器１０５からのデータ、又は、メモリ制御部１０８からのデータに対し所定の画素補間、縮小といったリサイズ処理や色変換処理を行う。また、画像処理部１１１では、撮像した画像データを用いて所定の演算処理が行われ、得られた演算結果に基づいてシステム制御部１２１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１１１ではさらに、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器１０５からの出力データは、画像処理部１１１及びメモリ制御部１０８を介して、或いは、メモリ制御部１０８を介してメモリ１０９に直接書き込まれる。メモリ１０９は、撮像部１０４によって得られ、Ａ／Ｄ変換器１０５によりデジタルデータに変換された画像データや、表示部１０７に表示するための画像データを格納する。メモリ１０９は、所定枚数の静止画や所定時間の動画および音声を格納するのに十分な記憶容量を備えている。
【００１７】
また、メモリ１０９は画像表示用のメモリ（ビデオメモリ）を兼ねている。Ｄ／Ａ変換器１０６は、メモリ１０９に格納されている画像表示用のデータをアナログ信号に変換して表示部１０７に供給する。こうして、メモリ１０９に書き込まれた表示用の画像データはＤ／Ａ変換器１０６を介して表示部１０７により表示される。表示部１０７は、ＬＣＤ等の表示器上に、Ｄ／Ａ変換器１０６からのアナログ信号に応じた表示を行う。Ａ／Ｄ変換器１０５によって一度Ａ／Ｄ変換され、メモリ１０９に蓄積されたデジタル信号をＤ／Ａ変換器１０６においてアナログ変換し、表示部１０７に逐次転送して表示することで、電子ビューファインダとして機能し、スルー画像表示を行える。なお、スルー画像を言い換えるとライブビュー画像、スルー画像表示を言い換えるとライブビューであるものとする。
【００１８】
不揮発性メモリ１２４は、電気的に消去・記録可能なメモリであり、例えばＥＥＰＲＯＭ等が用いられる。不揮発性メモリ１２４には、システム制御部１２１の動作用の定数、プログラム等が記憶される。ここでいう、プログラムとは、本実施形態にて後述する各種フローチャートを実行するためのプログラムのことである。
【００１９】
システム制御部１２１は、デジタルカメラ１００全体を制御する。前述した不揮発性メモリ１２４に記録されたプログラムを実行することで、後述する本実施形態の各処理を実現する。１２３はシステムメモリであり、ＲＡＭが用いられる。システムメモリ１２３には、システム制御部１２１の動作用の定数、変数、不揮発性メモリ１２４から読み出したプログラム等を展開する。また、システム制御部１２１はメモリ１０９、Ｄ／Ａ変換器１０６、表示部１０７等を制御することにより表示制御も行う。
【００２０】
システムタイマー１２２は各種制御に用いる時間や、内蔵された時計の時間、後述するセルフタイマー撮影時のカウントダウン時間を計測する計時部である。
【００２１】
モード切替スイッチ１１５、第１シャッタースイッチ１１９、第２シャッタースイッチ１２０、操作部１１３はシステム制御部１２１に各種の動作指示を入力するための操作手段である。
【００２２】
モード切替スイッチ１１５は、システム制御部１２１の動作モードを静止画撮影モード、動画記録モード、再生モード等のいずれかに切り替える。静止画撮影モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ１１５で、静止画撮影モードに含まれるこれらのモードのいずれかに直接切り替えられる。あるいは、モード切り替えスイッチ１１５で静止画撮影モードに一旦切り替えた後に、静止画撮影モードに含まれるこれらのモードのいずれかに、他の操作部材を用いて切り替えるようにしても良い。同様に、動画記録モードにも複数のモードが含まれていてもよい。
【００２３】
第１シャッタースイッチ１１９は、デジタルカメラ１００に設けられたシャッターボタン１１４の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
【００２４】
第２シャッタースイッチ１２０は、シャッターボタン１１４の操作完了、いわゆる全押し（撮影指示）でオンとなり、第２シャッタースイッチ信号ＳＷ２を発生する。システム制御部１２１は、第２シャッタースイッチ信号ＳＷ２により、撮像部１０４からの信号読み出しから記録媒体１２８に画像データを書き込むまでの一連の撮影処理の動作を開始する。
【００２５】
操作部１１３の各操作部材は、表示部１０７に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１０７に表示される。ユーザは、表示部１０７に表示されたメニュー画面と、上下左右の４方向ボタンやＳＥＴボタンとを用いて直感的に各種設定を行うことができる。
【００２６】
電源制御部１１７は、電池検出回路、ＤＣ−ＤＣコンバータ、通電するブロックを切り替えるスイッチ回路等により構成され、電池の装着の有無、電池の種類、電池残量の検出を行う。また、電源制御部１１７は、その検出結果及びシステム制御部１２１の指示に基づいてＤＣ−ＤＣコンバータを制御し、必要な電圧を必要な期間、記録媒体１２８を含む各部へ供給する。
【００２７】
電源部１１８は、アルカリ電池やリチウム電池等の一次電池やＮｉＣｄ電池やＮｉＭＨ電池、リチウムイオン電池等の二次電池、ＡＣアダプタ等からなる。記録媒体Ｉ／Ｆ１２７は、メモリーカードやハードディスク等の記録媒体１２８とのインターフェースである。記録媒体１２８は、撮影された画像を記録するためのメモリーカード等の記録媒体であり、半導体メモリや磁気ディスク等から構成される。
【００２８】
通信Ｉ／Ｆ１１０は、インターネット等のネットワーク１１２に通信可能に接続された外部機器と映像や音声のファイルや後述するスマートフォン２００による遠隔制御に用いられるコマンドなどの送受信を行うインターフェースである。通信Ｉ／Ｆ１１０は、例えば無線ＬＡＮやＢｌｕｅｔｏｏｔｈ（登録商標）、ＮＦＣ（近距離無線通信）などの無線インターフェースや、ＵＳＢなどの有線インターフェースが用いられる。また、通信Ｉ／Ｆ１１０はネットワーク１１２を介して、撮像部１０４で撮像された画像（ライブビュー映像を含む）や記録媒体１２８に記録された画像ファイルを外部機器に送信でき、また、外部機器から画像データやその他の各種情報を受信できる。
【００２９】
なお、通信Ｉ／Ｆ１１０をアクセスポイント（以下、ＡＰ）モードで動作させることにより、本実施形態のデジタルカメラ１００は、ＡＰの一種ではあるが、より機能が限定された簡易的なＡＰ（以下、簡易ＡＰ）として動作可能である。デジタルカメラ１００が簡易ＡＰとして動作すると、デジタルカメラ１００は自身でネットワークを形成する。デジタルカメラ１００の周辺の装置は、デジタルカメラ１００をＡＰ機器と認識し、デジタルカメラ１００が形成したネットワークに参加することが可能となる。
【００３０】
音声出力部１２５はスピーカを備え、セルフタイマーのカウントダウン音やシャッターの開閉に合わせたシャッター音その他の操作音、或いは、後述する遠隔制御によるセルフタイマー撮影時に出力されるメッセージの音声、動画再生時の動画の音声などを発音する。
【００３１】
発光部１２６はＬＥＤ（発光ダイオード）などを備える。発光部１２６は、所定の発光／非発光のパターンによって被写体にデジタルカメラ１００の動作状態（例えば、セルフタイマーのカウントダウン中や撮影の開始／終了など）を通知したり、被写体を照明するために閃光するストロボ機能を備える。発光部１２６は被写体側から視認できるようにカメラ前面（被写体側、撮像面側）に配置されている。
【００３２】
＜スマートフォン２００の構成＞次に、図１（ｂ）を参照して、本実施形態のスマートフォン２００の構成および機能の概略について説明する。
【００３３】
本実施形態のスマートフォン２００は、上述したデジタルカメラ１００と略同様の構成および機能を備えている。よって、図１（ｂ）では、デジタルカメラ１００と同様の構成要素については３桁目の符号を２（２００番台）とし、デジタルカメラ１００と異なる点を中心に説明を行う。
【００３４】
本実施形態のスマートフォン２００には、撮影者から見える被写体を撮影するリアカメラモジュールに加えて、撮影者自身や撮影者側の被写体を撮影するフロントカメラモジュール（以下、フロントカメラ）が搭載されている。リアカメラは、撮影レンズ２０２、シャッター２０３、撮像部２０４からなる第１の撮像光学系を備え、フロントカメラは撮影レンズ２３２、シャッター２３３、撮像部２３４からなる第２の撮像光学系を備える。リアカメラは、表示部２０７と同じ筐体面に取り付けられ、主としてスマートフォン２００を保持している撮影者自身を撮影する場合に用いられる。
【００３５】
撮影レンズ２０２、２３２はズームレンズ、フォーカスレンズを含むレンズ群である。シャッター２０３、２３３は絞り機能を備える。撮像部２０４、２３４は被写体の光学像を電気信号に変換するＣＣＤやＣＭＯＳ等で構成される撮像素子である。
【００３６】
Ａ／Ｄ変換器２０５は、撮像部２０４、２３４から出力されるアナログ信号をデジタル信号に変換する。バリア２０１、２３１は、スマートフォン２００の、撮影レンズ２０２、２３２を含む撮像光学系を覆うことにより、撮影レンズ２０２、２３２、シャッター２０３、２３３、撮像部２０４、２３４を含む撮像光学系の汚れや破損を防止する。
【００３７】
なお、Ａ／Ｄ変換器２０５や画像処理部２１１を撮像部２０４、２３４ごとに設けることも可能である。
【００３８】
また、本実施形態のスマートフォン２００は、マイクなどの音声入力部２２７を備え、音声出力部２２５および音声入力部２２７を介して他の通信機器のユーザと会話することが可能となる。
【００３９】
通信Ｉ／Ｆ２１０は、電話回線を介し音声データを送受信することで通話が可能となる。
【００４０】
操作部２１３は、表示部２０７に対する接触を検知可能なタッチパネルを含み、ユーザが表示部２０７上に表示された画面を直接的に操作可能であるかのようなＧＵＩを構成することができる。システム制御部２２１は、ユーザがタッチパネルにタッチしたことを検知し、タッチ位置に応じた処理を実行する。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００４１】
表示部２０７は、例えば、液晶パネル、或いは有機ＥＬパネルであり、ライブビュー映像や後述するＧＵＩ画面などの表示を行う。
【００４２】
タッチパネルは、表示部２０７と一体的に構成されており、表示部２０７に対する接触を検知可能である。そして、タッチパネルにおける入力座標と、表示部２０７上の表示座標とを対応付ける。これにより、あたかもユーザが表示部２０７上に表示された画面を直接的に操作可能であるかのようなＧＵＩを構成することができる。システム制御部２２１は、タッチパネルへの以下の操作を検出できる。タッチパネルを指やペンで触れたこと（以下、タッチダウン）。タッチパネルを指やペンで触れている状態であること（以下、タッチオン）。タッチパネルを指やペンで触れたまま移動していること（以下、ムーブ）。タッチパネルへ触れていた指やペンを離したこと（以下、タッチアップ）。タッチパネルに何も触れていない状態（以下、タッチオフ）。これらの操作や、タッチパネル上に指やペンが触れている位置座標はシステム制御部２２１に通知され、システム制御部２２１は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行われたと判定できる。また、所定距離以上を、所定速度未満でムーブしたことが検出された場合はドラッグが行われたと判定するものとする。
【００４３】
本実施形態のスマートフォン２００は、例えば、アプリケーションをインストールすることで、種々の機能を実行することができるものとする。例えば、本実施形態のデジタルカメラ１００との接続を確立し、デジタルカメラ１００を遠隔制御する機能を実行することができる。不揮発性メモリ２２４には、システム制御部２２１の動作用の定数、プログラム、カメラアプリケーション等が記憶される。なお、不揮発性メモリ２２４には、図４から図６で後述するデジタルカメラ１００と通信するためのプログラムが格納され、カメラアプリケーションとしてインストールされているものとする。なお、本実施形態のスマートフォン２００によるデジタルカメラ１００の遠隔制御は、カメラアプリケーションにより提供されるプログラムを読み込むことにより実現される。なお、カメラアプリケーションはスマートフォン２００にインストールされたＯＳの基本的な機能を利用するためのプログラムを有しているものとする。なお、スマートフォン２００のＯＳが本実施形態における処理を実現するためのプログラムを有していても良い。
【００４４】
その他の構成は、図１（ａ）と同様であるため、説明を省略する。
【００４５】
＜撮影方法＞次に、図２を参照して、本実施形態のようにデジタルカメラ１００とスマートフォン２００が通信可能に接続され、スマートフォン２００がデジタルカメラ１００を遠隔制御するシステムによる撮影方法について説明する。
【００４６】
図２（ａ）、（ｂ）は、スマートフォン２００が通信Ｉ／Ｆ１１０、２１０を介してデジタルカメラ１００と通信を行い、デジタルカメラ１００の撮像部１０４を遠隔制御してリモート撮影を行っている状態を示している。図２（ａ）、（ｂ）の例では表示部２０７にデジタルカメラ１００が撮像しているライブビュー映像が表示されている。ユーザはスマートフォン２００を操作することにより、デジタルカメラ１００に制御コマンドを送信することで撮影を遠隔制御できる。この状態は主に、記念撮影など、セルフタイマー機能を用いて撮影を行うユースケースでの利用が想定される。
【００４７】
スマートフォン２００がデジタルカメラ１００を遠隔制御して撮影するユースケースでは、スマートフォン２００を所有するユーザが被写体に含まれている場合（図２（ａ））と、含まれていない場合（図２（ｂ））がある。
【００４８】
図２（ｃ）は、スマートフォン２００にカメラユニット１５０を装着して撮像している状態を示している。図２（ａ）、（ｂ）のユースケースと比較して、スマートフォン２００を所有するユーザが被写体に含まれていない点は同様である。スマートフォン２００は、リアカメラ側の筐体に高機能なレンズ、センサ、画像処理ユニットなどを含むカメラユニット１５０が装着可能であり、カメラユニット１５０と無線通信を行いながら各種表示や操作を行う。この場合は、カメラユニット１５０とスマートフォン２００は、通信Ｉ／Ｆ１１０、２１０を介した遠隔制御システムを構成するため、通信形態としては図２（ａ）、（ｂ）の場合と大差はない。本実施形態では特に言及しない限り、「遠隔制御」、「リモート撮影」などの概念には、図２（ｃ）のようなユースケースも含まれるものとする。また、カメラユニット１５０も「リモートカメラ」の一種として説明する。カメラユニット１５０を装着して撮影を行う場合には、ユーザはあたかも高機能なリアカメラを使用する感覚で撮影を行える。なお、スマートフォン２００に内蔵されたリアカメラの代わりに高機能なリモートカメラを用いる撮影方法は、多くのユースケースで利用されている。
【００４９】
図２（ｃ）のユースケースは、ユーザがスマートフォン２００を保持して撮影するために、撮影準備は、図２（ａ）、（ｂ）のユースケースよりも、三脚を使わない分、簡単に実現できるが、手ぶれが発生しやすいと考えらえる。
【００５０】
＜カメラアプリケーション画面＞次に、図３を参照して、本実施形態のスマートフォン２００がデジタルカメラ１００を遠隔制御することによりセルフタイマー撮影を行う場合に、スマートフォン２００の表示部２０７に表示されるＧＵＩ画面について説明する。
【００５１】
ＧＵＩ画面３００は、操作部２１３からのユーザ操作に応じて、システム制御部２２１が、システムメモリ２２３に展開されているプログラムを実行してカメラアプリケーションが起動され、デジタルカメラ１００との通信接続が確立されると表示される。
【００５２】
セルフタイマーアイコン３０１は、セルフタイマー撮影が実行可能なモードであることを示す。セルフタイマーの設定は、２秒、１０秒、タイマーオフなどに切り替えることができる。システム制御部２２１が操作部２１３からのユーザ操作を受け付け、通信Ｉ／Ｆ２１０を介してデジタルカメラ１００にセルフタイマーの設定を切り替える制御コマンドを送出する。デジタルカメラ１００のシステム制御部２２１は、通信Ｉ／Ｆ１１０を介して制御コマンドを受信して設定を切り替える。
【００５３】
撮影状態表示部３０２には、例えば、セルフタイマー実行中であることを示すメッセージが表示される。この表示がされている間は、セルフタイマー実行中となる。
【００５４】
撮影準備表示部３０３は、例えば、セルフタイマー実行中に表示され、まもなく撮影が実行されるため、ユーザに撮影の準備を促すメッセージが表示される。なお、メッセージ表示に加えて、或いは、メッセージの表示に代えて、バイブレーション機能により振動させたり、音声出力部２２５から音声を出力したり、発光部２２６を発光させたりしてユーザに注意を促しても良い。
【００５５】
ライブビュー画面３０４は、デジタルカメラ１００によって撮像される、いわゆるライブビュー映像を表示する。デジタルカメラ１００のシステム制御部１２１は、撮像部１０４により撮像され、メモリ１０９に格納された画像データを、通信Ｉ／Ｆ１１０を介して、スマートフォン２００に送信する。スマートフォン２００のシステム制御部２２１は、通信Ｉ／Ｆ２１０を介してデジタルカメラ１００から画像データを受信して、メモリ２０９に格納する。また、システム制御部２２１は、メモリ２０９に格納された画像データを表示部２０７に表示する。このような処理を繰り返し行うことによってライブビューを実現する。
【００５６】
カウントダウンタイマー３０６は、セルフタイマー実行中におけるカウントダウン処理中に表示される。この表示はセルフタイマーの設定秒時に応じた速度で回転しながらセルフタイマー撮影時におけるシャッターレリーズまで動作する。なお、カウントダウンタイマー３０６は、撮影準備表示部３０３に撮影の準備を促すメッセージを表示するタイミングで非表示となる。
【００５７】
本実施形態のＧＵＩ画面３００では、セルフタイマー撮影時にセルフタイマー実行中であることをユーザに通知する。また、シャッターレリーズのタイミングについては正確なカウント時間は通知せずに、セルフタイマーのカウントダウンが終了する前の所定のタイミング（例えば、３秒）で撮影準備表示部３０３に撮影の準備を促すメッセージを表示する。このようにすることで、失敗撮影を防止している。
【００５８】
また、図２（ｃ）のようにスマートフォン２００にカメラユニット１５０を取り付けて撮影するユースケースでは、撮影準備表示部３０３にさらに手ぶれに注意することを促すメッセージを表示することで、失敗撮影を防止することができる。
【００５９】
なお、スマートフォン２００にカメラユニット１５０が装着されているか否かの判定方法は、スマートフォン２００とカメラユニット１５０がＮＦＣにより接続されたことを検知したり、操作部２１３が物理的な変位状態を検出する等の方法が考えられる。また、カメラユニット１５０からスマートフォン２００に接続を通知して、スマートフォン２００のシステム制御部２２１が通信Ｉ／Ｆ２１０を介して、接続通知を受信して判定したり、ユーザが操作部２１３を介してシステム制御部２２１に通知する等の方法もある。
【００６０】
さらに、スマートフォン２００の所有者がデジタルカメラ１００で撮影する被写体に含まれている場合（図２（ａ））、セルフタイマー実行中に、スマートフォン２００の所有者がスマートフォン２００を注視した状態で撮影されてしまう可能性がある。これを防止するためには、スマートフォン２００のフロントカメラを起動させて、それによって得られた画像の中に所有者がいることをシステム制御部２２１が判断し、かつ、デジタルカメラ１００から得られた画像の中に所有者がいる場合において、撮影準備表示部３０３において、所有者にデジタルカメラ１００を見るように促す表示を行う方法もある。これにより失敗撮影を防止することができる。
【００６１】
＜セルフタイマー撮影処理１＞次に、図４を参照して、実施形態１のスマートフォン２００とデジタルカメラ１００によるセルフタイマー撮影処理について説明する。
【００６２】
図４（ａ）は、スマートフォン２００におけるセルフタイマー撮影処理を示している。図４（ｂ）は、デジタルカメラ１００におけるセルフタイマー撮影処理を示している。
【００６３】
なお、図４の処理は、スマートフォン２００のカメラアプリケーションが起動されると開始される。また、図４の処理は、デジタルカメラ１００及びスマートフォン２００の各不揮発性メモリ１２４、２２に格納されたプログラムを読み出してシステム制御部１２１、２２１が実行することにより実現される。後述する図５についても同様である。
【００６４】
なお、図４（ａ）と（ｂ）の処理は互いに対応しており、主にカウントダウン処理をデジタルカメラ１００が担う場合を示している。
【００６５】
まず、図４（ａ）のスマートフォン２００の処理を説明する。
【００６６】
ステップＳ４０１は、システム制御部２２１は、通信Ｉ／Ｆ２１０によりデジタルカメラ１００との接続処理を行う。この接続処理は、既知の方法が適用できるが、詳細な説明は省略する。
【００６７】
ステップＳ４０２では、システム制御部２２１は、操作部２１３からのユーザ操作に応じてセルフタイマーの実行処理を開始する。システム制御部２２１は、操作部２１３からセルフタイマーの実行命令を受信し、通信Ｉ／Ｆ２１０を介してデジタルカメラ１００にセルフタイマーの実行要求を送信する。デジタルカメラ１００のシステム制御部１２１は、後述する図４（ｂ）のステップＳ４２３において、通信Ｉ／Ｆ１１０を介してスマートフォン２００からセルフタイマーの実行要求を受信する。
【００６８】
ステップＳ４０３では、システム制御部２２１は、通信Ｉ／Ｆ２１０を介してデジタルカメラ１００からセルフタイマーの撮影開始通知があったか否かを判定し、通知があった場合はステップＳ４０５に進み、通知がない場合はステップＳ４０３に戻る。
【００６９】
ステップＳ４０４では、システム制御部２２１は、図３のＧＵＩ画面３００における撮影状態表示部３０２に「セルフタイマー実行中」を表示すると共に、セルフタイマーアイコン３０１及びカウントダウンタイマー３０６を表示する。
【００７０】
ステップＳ４０５では、システム制御部２２１は、通信Ｉ／Ｆ２１０を介してデジタルカメラ１００からセルフタイマー撮影をまもなく開始する通知があったか否かを判定する。判定の結果、通知があった場合はステップＳ４０６に進み、通知がない場合はステップＳ４０４に戻る。
【００７１】
ステップＳ４０６では、システム制御部２２１は、図３のＧＵＩ画面３００における撮影準備表示部３０３に「まもなく撮影されます。準備を。」を表示し、撮影者に撮影の準備を促す。また、ステップＳ４０４で表示したカウントダウンタイマー３０６を非表示とする。
【００７２】
ステップＳ４０７では、システム制御部２２１は、通信Ｉ／Ｆ２１０を介してデジタルカメラ１００からセルフタイマー撮影の完了通知命令があったか否かを判定し、通知があった場合はステップＳ４０８に進み、通知がない場合はステップＳ４０６に戻る。
【００７３】
ステップＳ４０８では、システム制御部２２１は、セルフタイマー撮影時における表示処理を終了する。ここでは、システム制御部２２１は、図３のＧＵＩ画面３００の撮影状態表示部３０２及び撮影準備表示部３０３の表示を非表示にするか、撮影完了の表示を行い、本処理を終了する。
【００７４】
次に、図４（ｂ）のデジタルカメラ１００の処理を説明する。
【００７５】
ステップＳ４１１は、図４（ａ）のステップＳ４０１に対応し、システム制御部１２１は、通信Ｉ／Ｆ１１０によりスマートフォン２００との接続処理を行う。この接続処理は、既知の方法が適用できるが、詳細な説明は省略する。
【００７６】
ステップＳ４１２は、図４（ａ）のステップＳ４０２に対応し、システム制御部１２１は、通信Ｉ／Ｆ１１０を介してスマートフォン２００からセルフタイマーの実行要求を受信する。
【００７７】
ステップＳ４１３は、ステップＳ４０３に対応し、システム制御部１２１は、通信Ｉ／Ｆ１１０を介してスマートフォン２００にセルフタイマーの開始の通知を送信する。ここで、システム制御部１２１は、システムタイマー１２２によりセルフタイマーの実行を開始すると、通信Ｉ／Ｆ１１０を介してスマートフォン２００にセルフタイマー開始の通知を送信する。
【００７８】
ステップＳ４１４では、システム制御部１２１は、システムタイマー１２２によりセルフタイマー撮影時のカウントダウン処理を実行する。
【００７９】
ステップＳ４１５では、システム制御部１２１は、システムタイマー１２２のカウントダウン処理における残りのカウント値が所定の閾値以下となったか否かを判定する。判定の結果、所定の閾値以下となった場合はステップＳ４１６に進み、そうでない場合はステップＳ４１４に戻る。なお、所定の閾値は、スマートフォン２００に対して、セルフタイマー撮影を間もなく開始する通知命令を行うタイミングに対応している。
【００８０】
ステップＳ４１６は、ステップＳ４０５に対応し、システム制御部１２１は、通信Ｉ／Ｆ１１０を介してスマートフォン２００にセルフタイマー撮影を間もなく開始する通知命令を送信する。
【００８１】
ステップＳ４１７では、システム制御部１２１は、システムタイマー１２２による残りのカウントダウン処理を実行する。
【００８２】
ステップＳ４１８では、システム制御部１２１は、シャッター１０３及び撮像部１０４を制御してレリーズ処理を実行する。
【００８３】
ステップＳ４１９は、ステップＳ４０７に対応し、システム制御部１２１は、通信Ｉ／Ｆ１１０を介してスマートフォン２００にセルフタイマー撮影の完了通知命令を送信する。
【００８４】
＜処理シーケンス＞次に、図６（ａ）を参照して、図４（ａ）、（ｂ）のスマートフォン２００とデジタルカメラ１００の処理シーケンスについて説明する。
【００８５】
ステップＳ６０１は、スマートフォン２００とデジタルカメラ１００の接続確立処理を示す。
【００８６】
ステップＳ６０２では、スマートフォン２００のシステム制御部２２１は、通信Ｉ／Ｆ２１０を介してデジタルカメラ１００にリモート撮影の開始命令を送信する。デジタルカメラ１００のシステム制御部１２１は、通信Ｉ／Ｆ１１０を介してスマートフォン２００からリモート撮影の開始命令を受信し、リモート撮影制御のための準備動作、例えば撮像部１０４を駆動する。
【００８７】
ステップＳ６０３では、スマートフォン２００のシステム制御部２２１は、通信Ｉ／Ｆ２１０を介してデジタルカメラ１００にセルフタイマー撮影の実行命令を送信する。デジタルカメラ１００のシステム制御部１２１は、通信Ｉ／Ｆ１１０を介してスマートフォン２００からセルフタイマー撮影の実行命令を受信し、セルフタイマー撮影実行開始処理を行う。ここで、デジタルカメラ１００のシステム制御部１２１は、撮像部１０４を駆動して撮影準備動作を行う。
【００８８】
ステップＳ６０４では、デジタルカメラ１００のシステム制御部１２１は、通信Ｉ／Ｆ１１０を介してスマートフォン２００にセルフタイマー撮影の実行開始通知を送信する。スマートフォン２００のシステム制御部２２１は、通信Ｉ／Ｆ２１０を介してデジタルカメラ１００からセルフタイマー撮影の実行開始通知を受信する。当該通知を受信したスマートフォン２００のシステム制御部２２１は、図３のＧＵＩ画面３００における撮影状態表示部３０２に「セルフタイマー実行中」を表示し、セルフタイマーアイコン３０１及びカウントダウンタイマー３０６を表示する。
【００８９】
ステップＳ６０５では、デジタルカメラ１００のシステム制御部１２１は、通信Ｉ／Ｆ１１０を介してスマートフォン２００に、セルフタイマー撮影をまもなく開始する通知命令を送信する。スマートフォン２００のシステム制御部２２１は、通信Ｉ／Ｆ２１０を介してデジタルカメラ１００から、セルフタイマー撮影をまもなく開始する通知命令を受信する。当該通知を受信したスマートフォン２００のシステム制御部２２１は、図３のＧＵＩ画面３００における撮影準備表示部３０３に「まもなく撮影されます。準備を。」を表示し、撮影者に撮影の準備を促す。また、カウントダウンタイマー３０６を非表示とする。
【００９０】
ステップＳ６０６では、デジタルカメラ１００のシステム制御部１２１は、通信Ｉ／Ｆ１１０を介してスマートフォン２００に、セルフタイマー撮影の完了通知命令を送信する。スマートフォン２００のシステム制御部２２１は、通信Ｉ／Ｆ２１０を介してデジタルカメラ１００からセルフタイマー撮影の完了通知命令を受信する。当該通知を潤したスマートフォン２００のシステム制御部２２１は、図３のＧＵＩ画面３００の撮影状態表示部３０２及び撮影準備表示部３０３の表示を非表示にするか、撮影完了の表示を行う。
【００９１】
上述した処理によれば、スマートフォン２００がデジタルカメラ１００を遠隔制御してセルフタイマー撮影を実行する場合に、カウントダウン処理における残り時間が撮影タイミングに近づいてきたことをユーザに通知し、撮影準備をユーザに促すことで撮影の失敗を防ぐことができる。
【００９２】
＜セルフタイマー撮影処理２＞次に、図５を参照して、実施形態２のスマートフォン２００とデジタルカメラ１００によるセルフタイマー撮影処理について説明する。
【００９３】
図５（ａ）は、スマートフォン２００によるセルフタイマー撮影処理を示している。図５（ｂ）は、デジタルカメラ１００によるセルフタイマー撮影処理を示している。また、図５の処理は、スマートフォン２００のカメラアプリケーションが起動されると開始される。
【００９４】
なお、図５（ａ）と（ｂ）の処理は互いに対応しており、主にカウントダウン処理をスマートフォン２００が担う場合を示している。
【００９５】
まず、図５（ａ）のスマートフォン２００の処理を説明する。
【００９６】
ステップＳ５０１〜Ｓ５０３は、図４（ａ）のステップＳ４０１〜Ｓ４０３と同様である。
【００９７】
ステップＳ５０４では、システム制御部２２１は、システムタイマー２２２によりセルフタイマー撮影時のカウントダウン処理を実行し、図３のＧＵＩ画面３００にカウントダウンタイマー３０６を表示する。
【００９８】
ステップＳ５０５では、システム制御部２２１は、システムタイマー２２２のカウントダウン処理における残りのカウント値が所定の閾値以下となったか否かを判定する。判定の結果、所定の閾値以下となった場合はステップＳ５０６に進み、そうでない場合はステップＳ５０４に戻る。なお、所定の閾値は、スマートフォン２００が、図３のＧＵＩ画面３００の撮影準備表示部３０３に、「まもなく撮影されます。準備を。」を表示するタイミングに対応している。
【００９９】
ステップＳ５０６〜Ｓ５０８は、図４（ａ）のステップＳ４０６〜Ｓ４０８と同様である。
【０１００】
次に、図５（ｂ）のデジタルカメラ１００の処理を説明する。
【０１０１】
ステップＳ５１１〜Ｓ５１４は、図４（ｂ）のステップＳ４１１〜Ｓ４１４と同様である。
【０１０２】
その後、デジタルカメラ１００からスマートフォン２００に、セルフタイマー撮影をまもなく開始する通知を送信しないで、ステップＳ５１４でのカウントダウン処理が終了した後、ステップＳ５１５〜Ｓ５１６でステップＳ４１８〜Ｓ４１９と同様の処理を行う。
【０１０３】
＜処理シーケンス＞次に、図６（ｂ）を参照して、図５（ａ）、（ｂ）のスマートフォン２００とデジタルカメラ１００の処理シーケンスについて説明する。
【０１０４】
ステップＳ６１１〜Ｓ６１５は、図６（ａ）のステップＳ６０１〜Ｓ６０４、Ｓ６０６と同様である。
【０１０５】
すなわち、ステップＳ６１１〜Ｓ６１４の処理を行った後、スマートフォン２００は、図５（ａ）のステップＳ５０５〜Ｓ５０７の処理を実行する。
【０１０６】
上述した処理では、デジタルカメラ１００とスマートフォン２００の両方でカウントダウン処理を実行するため、ステップＳ４１６に相当する通信処理を１つ減らすことができる。ところが、スマートフォン２００とデジタルカメラ１００でのカウントダウン処理に大きな誤差が発生した場合は、レリーズタイムラグの精度が悪化する可能性がある。しかしながら、セルフタイマーのような１０秒程度のカウントダウン処理ならば、大きな誤差が発生することは考えにくいため、有効な手段であると考えられる。
【０１０７】
上述した処理によれば、スマートフォン２００がデジタルカメラ１００を遠隔制御してセルフタイマー撮影を実行する場合に、カウントダウン処理における残り時間が撮影タイミングに近づいてきたことをユーザに通知し、撮影準備をユーザに促すことで撮影の失敗を防ぐことができる。
【０１０８】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０９】
１００…デジタルカメラ、１１０…通信Ｉ／Ｆ、１１２…ネットワーク、１２１…システム制御部、２００…スマートフォン、２１０…通信Ｉ／Ｆ、２２１…システム制御部、３００…カメラユニット
【図１】
2017038280.tif 000003
【図２】
2017038280.tif 000004
【図３】
2017038280.tif 000005
【図４】
2017038280.tif 000006
【図５】
2017038280.tif 000007
【図６】
2017038280.tif 000008